(57)【特許請求の範囲】
【請求項１】
鉄と炭と焼酎滓又は柑橘類の滓とを混練し、成形して焼成することで鉄溶出材を製造し、
前記鉄溶出材を２０ｗｔ％〜１００ｗｔ％のレモン汁含有溶液に浸漬させ、前記鉄溶出材に前記レモン汁含有溶液を含浸させる、
ことを特徴とする水質改善材の製造方法。
【請求項２】
鉄と炭と焼酎滓又は柑橘類の滓とを混練し、成形して焼成することで鉄溶出材を製造し、前記鉄溶出材を２０ｗｔ％〜１００ｗｔ％のレモン汁含有溶液に浸漬させ、前記鉄溶出材に前記レモン汁含有溶液を含浸させて得られた水質改善材を湖沼、河川、海、或いは水槽の水に介在させて水質を改善する、
ことを特徴とする水質改善方法。
【発明の詳細な説明】
【技術分野】
【０００１】
本発明は、水質改善材の製造方法及び水質改善方法に関する。
【背景技術】
【０００２】
河川、湖沼、海辺等では、ヘドロ等の沈殿物が堆積し、水質悪化が生じやすい。このような状況下では、植物プランクトンにとって必要な栄養が不足しやすい。なかでも鉄分が不足すると、植物プランクトンの光合成が不活性になるとともに繁殖が進まない。その結果、植物プランクトンによるヘドロ等の有機物の分解が進まず、水質の悪化を招く。また、植物プランクトンは食物連鎖の基礎であるので、植物プランクトンの繁殖が抑えられると、植物プランクトンを餌とする水中生物の活性が損なわれる。その結果、水中生物環境全体の更なる悪化を招くとともに、更なる水質悪化が促進されてしまう。
【０００３】
水質環境の改善のため、例えば、特許文献１のように、鉄キレート発生材を湖沼等に投入し、鉄キレートを生成させ、これを植物プランクトンに摂取させて悪化した水質を改善する方法がある。
【先行技術文献】
【特許文献】
【０００４】
【特許文献１】特開２０１０−２４２０７５号公報
【発明の概要】
【発明が解決しようとする課題】
【０００５】
特許文献１の鉄キレート発生材は、水中で二価鉄を溶出させ得るものの、その溶出量は十分とは言えず、未だ改良の余地がある。
【０００６】
本発明は、上記事項に鑑みてなされたものであり、その目的とするところは、より豊富に二価鉄を溶出可能な水質改善材の製造方法及び水質改善方法を提供することにある。
【課題を解決するための手段】
【０００９】
本発明の第一の観点に係る水質改善材の製造方法は、
鉄と炭と焼酎滓又は柑橘類の滓とを混練し、成形して焼成することで鉄溶出材を製造し、
前記鉄溶出材を２０ｗｔ％〜１００ｗｔ％のレモン汁含有溶液に浸漬させ、前記鉄溶出材に前記レモン汁含有溶液を含浸させる、
ことを特徴とする。
【００１１】
本発明の第二の観点に係る水質改善方法は、
鉄と炭と焼酎滓又は柑橘類の滓とを混練し、成形して焼成することで鉄溶出材を製造し、前記鉄溶出材を２０ｗｔ％〜１００ｗｔ％のレモン汁含有溶液に浸漬させ、前記鉄溶出材に前記レモン汁含有溶液を含浸させて得られた水質改善材を湖沼、河川、海、或いは水槽の水に介在させて水質を改善する、
ことを特徴とする。
【発明の効果】
【００１２】
本発明によって製造される水質改善材では、水中に介在させることで、多くの二価鉄を溶出することができる。
【発明を実施するための形態】
【００１３】
（水質改善材）
水質改善材は、鉄と炭とキレート剤とを含有する鉄溶出材と、鉄溶出材に含浸しているレモン汁とを備えている。
【００１４】
鉄溶出材は、鉄と炭とキレート剤とを含有し、一体的に形成された構造をしている。鉄溶出材の形状は特に限定されず、球体、立方体、円柱体などが挙げられる。また、鉄溶出材の大きさについても特に限定されない。
【００１５】
鉄は、鉄原子を含有しているものであればよい。鉄合金や鉄酸化物であってもよく、屑鉄等も用いることができる。
【００１６】
炭は、炭素を含有していればよく、例えば、コークス、黒鉛、木炭、竹角、石炭等、種々の炭を用いることができる。炭素は鉄よりも電気陰性度が高いため、水中で鉄と接触すると鉄を酸化させ、鉄イオンを溶出させる。
【００１７】
キレート剤は、溶出した鉄イオンと結合して鉄キレートを形成する。キレート剤は、２価鉄イオンとキレート化し得るものであれば特に制限はないが、焼酎滓や柑橘類の滓など、粘性を有するものなど、鉄と炭とを混練する際にバインダーとしての機能を発揮し得るものが好ましい。
【００１８】
レモン汁は、レモン果実を搾って得られる搾り汁である。レモン汁は、レモン果実を皮ごと搾ったもの、果肉だけを搾ったもの、皮だけを搾ったものなど、いずれであってもよい。レモン汁は鉄溶出材に対して１〜５ｗｔ％含浸していることが好ましい。
【００１９】
（水質改善材の製造方法）
まず、鉄溶出材を準備する。鉄と炭とキレート剤（例えば、焼酎滓や柑橘類の滓）とを混練し、所定の形状に成形する。この成形体を炉等に入れて、所定条件下で焼成することにより、鉄溶出材を製造する。炭は、鉄が溶出される程度含まれていればよく、キレート剤は、鉄と炭とを混練して成形できる程度含まれていればよい。
【００２０】
或いは、鉄溶出材をレモン汁含有溶液に浸漬させる。レモン汁含有溶液は、レモンの果実を搾ったレモン汁をそのまま用いても、レモン汁を水で希釈して調製した溶液を用いてもよい。水で希釈したレモン汁含有溶液を用いる場合、レモン汁が２０ｗｔ％以上とすることが好ましい。また、レモン汁含有溶液への浸漬は、常温で行えばよい。また、浸漬時間は、十分にレモン汁含有溶液が含浸する程度の時間であればよく、３０分以上、より好ましくは６０分以上とすればよい。これにより、水質改善材が得られる。
【００２１】
また、得られた水質改善材は、乾燥、酸化を防止すべく、密閉可能な容器、袋等に入れて保存しておくことが望ましい。
【００２２】
（水質改善方法）
水質改善方法では、上述した水質改善材を、河川、湖沼、海、水槽等の水中に介在させる。水中でキレート剤が除々に分離すると、鉄と炭が接触し、炭よりも電気陰性度が低い鉄が酸化されてＦｅ２＋イオンが溶出する。さらに、Ｆｅ２＋イオンがキレート剤と反応し、鉄キレートを形成する。また、原理は明かではないが、水質改善材には、レモン汁が含浸していることから、レモン汁の作用によりＦｅ２＋イオンの溶出、キレート化が促進される。これにより、豊富にＦｅ２＋イオンが溶出されることになる。溶出したＦｅ２＋イオンはキレート状態で水中に存在することとなるため、Ｆｅ３＋イオンに酸化されることが抑制される。
【００２３】
このように、水質改善材は、湖沼や河川、海辺等の閉鎖性水域や水槽の水中へ介在させることにより、植物プランクトンの重要な栄養源であるＦｅ２＋を豊富に供給し、イオン状態（キレート状態）のまま安定に水中に存在する。このため、食物連鎖の基礎である植物プランクトンがＦｅ２＋を摂取することができる。これにより、植物プランクトンの光合成が活性化するとともに、植物プランクトンの増殖が促され、水中の有機物を分解することになる。更には、植物プランクトンを餌とする水中生物の増殖、活性化につながる。更には、Ｆｅ２＋は水中のリンと結びつくとリン酸鉄となってリンを固定化し、アオコや赤潮の原因となる富栄養化を防ぐ。これらが相まって、水質が改善されることになる。
【００２４】
水質改善材は、豊富に二価鉄を溶出させることができるため、湖沼等への水質改善材の投入量を少なくすることができ、水質改善に要するコストの低減にもつながる。
【００２５】
（実施例１：Ｆｅ２＋イオン溶出の検証）
鉄溶出材として、水質・底質浄化炭（商品名：キレートマリン、日の丸産業株式会社製）を準備した。
【００２６】
この鉄溶出材（５０ｇ）を、レモン汁含有溶液（１０ｍＬ）に２０分間浸漬させた。そして、レモン汁含有溶液から鉄溶出材を取り出し、水質改善材を得た。得られた水質改善材は、乾燥しないよう、袋に入れて密封し保存しておいた。レモン汁含有溶液として、レモン果実を皮ごと搾った汁を１００ｗｔ％、６０ｗｔ％、４０ｗｔ％、及び、２０ｗｔ％の各溶液を用い、それぞれのレモン汁含有溶液に鉄溶出材を浸漬して得られた水質改善材をレモン１００、レモン６０、レモン４０、及び、レモン２０と、それぞれ記す。なお、レモン汁の希釈には純水を用いた。
【００２７】
１Ｌの純水に、それぞれの水質改善材を投入した。そして、水質改善材を投入して１時間後の水中のＦｅ２＋イオン濃度を測定した。
【００２８】
また、レモン汁含有溶液に浸漬させなかった鉄溶出材についても、上記と同様に行った。これをブランクと記す。
【００２９】
それぞれのＦｅ２＋イオン濃度の結果を表１に示す。
【００３０】
【表１】
0006768316.tif 000002
【００３１】
ブランクでは、Ｆｅ２＋イオン濃度は０．１ｐｐｍ以下であった。レモン１００、６０、４０、２０では、Ｆｅ２＋イオン濃度が１０ｐｐｍ、３ｐｐｍ、２ｐｐｍ、１ｐｐｍであり、いずれもブランクよりもＦｅ２＋イオンを溶出していることがわかる。
【００３２】
（実施例２：水質改善の検証）
平成２７年１１月１２日に国営備北丘陵公園（広島県庄原市三日市町４−１０）の新池（面積：約３３０ｍ２、深さ：約５０ｃｍ）に水質改善材を約６６ｋｇ投入した。水質改善材は実施例１のレモン１００を用いた。そして、投入日（平成２７年１１月１２日）及びその約一ヶ月後（平成２７年１２月１４日）の池の水質分析を行った。水質分析結果を表２に示す。
【００３３】
【表２】
0006768316.tif 000003
【００３４】
表２を見ると水質改善材を投入して約一ヶ月後には、池の水のＳＳ（浮遊物質量）が３４．６７ｍｇ／Ｌから４．３３ｍｇ／Ｌに大幅に減少し、そして、透視度が２０ｃｍから１００ｃｍを超えるまでになっている。そして、ＣＯＤ（Chemical Oxygen Demand）が二価鉄溶出材の投入前の１／３になっており、水中の有機物が減少している。また、大腸菌についても大幅な低下がみられ、これはレモン汁の成分による抗菌作用が関与しているものと考えられる。
【００３５】
一般に、浮遊物質を多く含む水は透視度が下がり、太陽光が遮られることによって藻類の光合成が阻害される。また、汚濁の進んだ水では有機物の浮遊物質の比率が高くなり、その有機物の分解に溶存酸素が消費されるため生態系に大きな影響を与え、水質悪化にもつながる。本実施例における水質改善材の水中への投入により、浮遊物質の減少、透視度の上昇を促し、上記の生態系、水質悪化の改善が可能であることがわかる。